(57)【特許請求の範囲】
【請求項１】
浴槽内壁面に浴槽内に突出するように配置される槽内突出部を有するアダプター本体と、前記槽内突出部の前面および周側面を覆うように取り付けられるフィルター部材とを備え、前記槽内突出部の周側壁に第１および第２吐出口が設けられるとともに、前記槽内突出部の前壁の左右両側に第１および第２吸引口が設けられ、前記槽内突出部に前記第１吐出口および前記第１吸引口に連通する第１流路が設けられるとともに、前記槽内突出部に前記第２吐出口および前記第２吸引口に連通する第２流路が設けられ、前記第１および第２吸引口のうちいずれか一方の吸引口から吸引された浴槽内の湯水が前記第１および第２流路のうち一方の流路に吸引される一方、浴槽外から他方の流路に供給された湯水が前記第１および第２吐出口のうち他方の吐出口から浴槽内に吐出されるようにした浴槽用給湯アダプターであって、
前記フィルター部材は、前記槽内突出部の周側面に沿って配置され、かつ前面が開口された補助枠と、前記補助枠の少なくとも前面開口部を閉塞する態様に取り付けられたフィルター本体とを備え、
上端が前記補助枠の内周上端に固定され、かつ下端が自由端となる片持ち構造の仕切棒が前記フィルター本体の裏面側において前記第１および第２吸引口の間に配置され、
前記仕切棒が自身の弾性力によって前記フィルター本体に圧接した状態に配置されていることを特徴とする浴槽用給湯アダプター。
【請求項２】
前記仕切棒の下端は、前記フィルター部材の下端よりも上方に位置し、前記仕切棒が前記フィルター部材の下側部に存在しない請求項１に記載の浴槽用給湯アダプター。
【請求項３】
前記仕切棒の上部は上端に向かうに従って幅広に形成されている請求項１または２に記載の浴槽用給湯アダプター。
【請求項４】
前記仕切棒における後面側の幅が前面側の幅よりも狭く形成されている請求項１〜３のいずれか１項に記載の浴槽用給湯アダプター。
【請求項５】
前記仕切棒にその後面と下端面との間のコーナー部が切り欠かれるように面取り部が形成されている請求項１〜４のいずれか１項に記載の浴槽用給湯アダプター。
【請求項６】
浴槽内壁面に浴槽内に突出するように配置される槽内突出部を有するアダプター本体と、前記槽内突出部の前面および周側面を覆うように取り付けられるフィルター部材とを備え、前記槽内突出部の前壁の左右両側に第１および第２通水口が設けられ、前記第１および第２通水口のうちいずれか一方の通水口から吸引される一方、浴槽外から前記槽内突出部に供給された湯水が他方の通水口から浴槽内に吐出されるようにした浴槽用給湯アダプターであって、
前記フィルター部材は、前記槽内突出部の周側面に沿って配置され、かつ前面が開口された補助枠と、前記補助枠の少なくとも前面開口部を閉塞する態様に取り付けられたフィルター本体とを備え、
上端が前記補助枠の内周上端に固定され、かつ下端が自由端となる片持ち構造の仕切棒が前記フィルター本体の裏面側において前記第１および第２通水口の間に配置され、
前記仕切棒が自身の弾性力によって前記フィルター本体に圧接した状態に配置されていることを特徴とする浴槽用給湯アダプター。
【発明の詳細な説明】
【技術分野】
【０００１】
この発明は、浴槽に給湯用として取り付けられる浴槽用給湯アダプターに関する。
【背景技術】
【０００２】
浴槽の側壁に湯水の循環用に取り付けられる循環金具としての給湯アダプターは、浴槽内壁面から突出する態様に配置される円盤状の槽内突出部を備えており、追い焚き時にはこの槽内突出部の吐出口から湯水が浴槽内に供給されるとともに、槽内突出部の吸引口から浴槽内の湯水が吸引されるようになっている。例えば弁付きの無極性タイプの給湯アダプターにおいては、槽内突出部の前面に左右に並んで第１および第２の２つの吸引口が設けられるとともに、槽内突出部の周側面両側の下部に第１および第２の２つの吐出口が設けられている。またアダプター内部には第１吸引口および第１吐出口に通じる第１流路と、第２吸引口および第２吐出口に通じる第２流路とが設けられている。
【０００３】
そして追い焚き時に浴槽内の湯水は例えば第１吸引口からアダプター内の第１流路に吸引されて戻り管を介して給湯機に戻されるとともに、給湯機から往き管を介してアダプター内の第２流路に湯水が供給されて第２吐出口から吐出されて浴槽内に供給される。この循環時において、アダプター内に設けられた逆止弁によって、第１吐出口から浴槽内の湯水が吸引されるのが防止されるとともに、第２吸引口から浴槽内に湯水が吐出されるのが防止されるようになっている。
【０００４】
このように追い焚き時には、左右に並ぶ吸引口のうち、逆止弁によって第２吸引口から湯水が吐出されるのを防止しているが、逆止弁は合成ゴム等によって構成されているため、逆止弁が経年劣化によって変形したり損傷した場合や、逆止弁に入浴者の髪の毛等の異物がかみ込んだ場合等には、逆止弁の機能が損なわれて、追い炊き時に第２吸引口から湯水が吐出することがある。第２吸引口から湯水が漏出すると、その漏出した湯水は隣り合う第１吸引口から直ぐに吸引されて給湯機に戻されるという、いわゆるショートサーキット（ショートサイクル）が発生する。
【０００５】
ここで第２吸引口から漏出する湯水は溶存酸素を多く含み、気泡が発生し易い状態となっている。このため発生する気泡が湯水と共にショートサーキットによって第１吸引口から吸引されてしまうと、給湯機に戻る湯水は気泡が多量に混在した状態となるため、湯温を正確に検知できず浴槽内のお湯の温度調整を正確に行うことができなかったり、循環する湯水の量が減少して追い焚きを効率良く行うことができなくなってしまう。
【０００６】
そこで下記特許文献１に示すように上記ショートサーキットを防止できる給湯アダプターが提案されている。
【０００７】
この給湯アダプターにおいては、アダプター本体の槽内突出部にその前面および外周面を覆うようにフィルター部材が着脱自在に設けられているが、このフィルター部材における前壁の裏面側に上下方向に連続して延びるショートサーキット防止用の仕切リブが形成されている。そしてこの仕切リブが第１および第２吸引口間に配置されて、仕切リブによって両吸引口間の湯水の往き来が防止されることにより、上記ショートサーキットが防止されるようになっている。
【先行技術文献】
【特許文献】
【０００８】
【特許文献１】特許第３７０９３１１号
【発明の概要】
【発明が解決しようとする課題】
【０００９】
ところで多くの場合、給湯アダプターは複雑な構造を有しており、例えばフィルター部材は、ステンレス製等のフィルター本体と、そのフィルター本体の内部に嵌め込まれる樹脂製の補助枠とを備え、アダプター本体の吐出口や吸引口に対応する部分に通水用開口が形成される等、複雑な構造を有している。このためフィルター部材に上記のようなショートサーキット防止用の仕切リブを形成する場合であっても、構造の複雑化が懸念されるところであり、従来より、簡単な構造でショートサーキットを防止できる手段を提供することが望まれている。
【００１０】
この発明は、上記の課題に鑑みてなされたものであり、簡単な構造でショートサーキットを防止することができる浴槽用給湯アダプターを提供することを目的とする。
【課題を解決するための手段】
【００１１】
上記課題を解決するため、本発明は、以下の手段を備えるものである。
【００１２】
［１］浴槽内壁面に浴槽内に突出するように配置される槽内突出部を有するアダプター本体と、前記槽内突出部の前面および周側面を覆うように取り付けられるフィルター部材とを備え、前記槽内突出部の周側壁の両側に第１および第２吐出口が設けられるとともに、前記槽内突出部の前壁の両側に第１および第２吸引口が設けられ、前記槽内突出部に前記第１吐出口および前記第１吸引口に連通する第１流路が設けられるとともに、前記槽内突出部に前記第２吐出口および前記第２吸引口に連通する第２流路が設けられ、前記第１および第２吸引口のうちいずれか一方の吸引口から吸引された浴槽内の湯水が前記第１および第２流路のうち一方の流路に吸引される一方、浴槽外から他方の流路に供給された湯水が前記第１および第２吐出口のうち他方の吐出口から浴槽内に吐出されるようにした浴槽用給湯アダプターであって、
前記フィルター部材は、前記槽内突出部の周側面に沿って配置され、かつ前面が開口された補助枠と、前記補助枠の少なくとも前面開口部を閉塞する態様に取り付けられたフィルター本体とを備え、
上端が前記補助枠の内周上端に固定され、かつ下端が自由端となる片持ち構造の仕切棒が前記フィルター本体の裏面側において前記第１および第２吸引口の間に配置され、
前記仕切棒が自身の弾性力によって前記フィルター本体に圧接した状態に配置されていることを特徴とする浴槽用給湯アダプター。
【００１３】
［２］前記仕切棒の下端は、前記フィルター部材の下端よりも上方に位置し、前記仕切棒が前記フィルター部材の下側部に存在しない前項１に記載の浴槽用給湯アダプター。
【００１４】
［３］前記仕切棒の上部は上端に向かうに従って幅広に形成されている前項１または２に記載の浴槽用給湯アダプター。
【００１５】
［４］前記仕切棒における後面側の幅が前面側の幅よりも狭く形成されている前項１〜３のいずれか１項に記載の浴槽用給湯アダプター。
【００１６】
［５］前記仕切棒にその後面と下端面との間のコーナー部が切り欠かれるように面取り部が形成されている前項１〜４のいずれか１項に記載の浴槽用給湯アダプター。
【００１７】
［６］浴槽内壁面に浴槽内に突出するように配置される槽内突出部を有するアダプター本体と、前記槽内突出部の前面および周側面を覆うように取り付けられるフィルター部材とを備え、前記槽内突出部の前壁の両側に第１および第２通水口が設けられ、前記第１および第２通水口のうちいずれか一方の通水口から吸引される一方、浴槽外から前記槽内突出部に供給された湯水が他方の通水口から浴槽内に吐出されるようにした浴槽用給湯アダプターであって、
前記フィルター部材は、前記槽内突出部の周側面に沿って配置され、かつ前面が開口された補助枠と、前記補助枠の少なくとも前面開口部を閉塞する態様に取り付けられたフィルター本体とを備え、
上端が前記補助枠の内周上端に固定され、かつ下端が自由端となる片持ち構造の仕切棒が前記フィルター本体の裏面側において前記第１および第２通水口の間に配置され、
前記仕切棒が自身の弾性力によって前記フィルター本体に圧接した状態に配置されていることを特徴とする浴槽用給湯アダプター。
【発明の効果】
【００１８】
発明［１］の浴槽用給湯アダプターによれば、槽内突出部を外嵌するフィルター部材の補助枠に、槽内突出部の第１および第２吸引口間を仕切るように仕切棒が形成されているため、第１および第２吸引口のうち一方の吸引口から湯水が吸引されるとともに、他方の吸引口から湯水が漏出したとしても、その漏出湯水は仕切棒によって一方の吸引口側に流れ込むのを防止でき、ショートサーキットの発生を防止することができる。さらに仕切棒は、自身の弾性力によって補助枠の前面開口部を閉塞するフィルター本体に圧接しているため、仕切棒の全域をフィルター本体に隙間なく密着させることができ、上記のショートサーキットの発生をより確実に防止することができる。また本発明はフィルター部材に片持ち構造の仕切棒を形成するだけの簡単な構造で、上記の通りショートサーキットが発生するのを防止することができる。
【００１９】
発明［２］の浴槽用給湯アダプターによれば、フィルター部材の内部における下側部が仕切棒によって仕切られずに連通しているため、第１および第２吸引口のいずれの吸引口が吸引経路となる場合であっても、当該吸引口による吸引力がフィルター部材の内部全域に作用し、フィルター部材の前面全域から効率良く湯水を吸引することができる。
【００２０】
発明［３］の浴槽用給湯アダプターによれば、応力が集中し易い仕切棒の上側部（付け根部）に十分な強度を確保できるため、仕切棒が折れ曲がって破損してしまうような不具合を確実に防止することができる。
【００２１】
発明［４］の浴槽用給湯アダプターによれば、仕切棒を摘まむことが難しくなるため、仕切棒を不用意に摘まんでしまうのを防止でき、仕切棒が折れ曲がって破損してしまうような不具合をより確実に防止することができる。
【００２２】
発明［５］の浴槽用給湯アダプターによれば、仕切棒の下端コーナー部に面取り部が形成されているため、仕切棒の下端に指等が引っ掛かってしまうようなことがなく、その引っ掛かりによって、仕切棒が折れ曲がって破損してしまうような不具合をより一層確実に防止することができる。
【００２３】
発明［６］の浴槽用給湯アダプターによれば、上記と同様に、簡単な構造で、他方の通水口から吐出される湯水が一方の通水口から吸引されるというショートサーキットが発生するのを防止することができる。
【図面の簡単な説明】
【００２４】
【図１Ａ】図１Ａはこの発明の実施形態である浴槽用給湯アダプターを示す側面図である。
【図１Ｂ】図１Ｂはこの発明の実施形態である浴槽用給湯アダプターを示す側面断面図である。
【図２】図２は実施形態の給湯アダプターを分解して示す側面断面図である。
【図３】図３は実施形態の給湯アダプターにおける流路仕切部材を示す図であって、図（ａ）は正面図、図（ｂ）は下面図である。
【図４】図４は実施形態の給湯アダプターにおけるフィルター部材を示す図であって、図(ａ）は正面図、図（ｂ）は下面図、図（ｃ）は背面図である。
【図５】図５は実施形態のフィルター部材を分解して示す側面断面図である。
【図６】図６は実施形態のフィルター部材における補助枠を示す図であって、図(ａ）は正面図、図（ｂ）は下面図である。
【図７】図７は実施形態の補助枠における仕切棒の下部周辺を拡大して示す側面断面図である。
【図８】図８は図６（ａ）のＶ−Ｖ線断面図である。
【図９】図９は実施形態に補助枠における仕切棒の線状部を拡大して示す斜視図である。
【発明を実施するための形態】
【００２５】
図１Ａ、図１Ｂおよび図２はこの発明の実施形態である浴槽用給湯アダプターを示す図である。両図に示すように、この実施形態の給湯アダプターは、浴槽の側壁Ｗに設けられた取付孔に組み付けられる。この給湯アダプターは、室外の給湯機から供給された湯水を浴槽内に供給する湯はりの他に、浴槽内の湯水を吸い込んで室外の給湯機に送り、そこで再加熱して、高温の湯水を浴槽内に戻すようにした追い焚きを行えるものである。
【００２６】
なおこの給湯アダプターは、以下に詳述するように、このアダプターが備える２つの外管接続部１ａ，１ｂに対して、給湯機につながる往き管および戻り管のどちらを接続しても使用可能な、いわゆる無極性タイプのものである。さらにこの給湯アダプターは、内部に、逆流防止弁等のお湯の流動を制御するための流動制御弁（逆止弁）が設けられた弁有りタイプのものである。
【００２７】
本実施形態の給湯アダプターは、槽外取付部材１と、雄ねじ部材２と、流路仕切部材３と、フィルター部材５とを基本的な構成要素として備えている。このうち、フィルター部材５を除く部材、つまり槽外取付部材１と、雄ねじ部材２と、流路仕切部材３とによってアダプター本体が構成されている。なお、本明細書の説明においては、給湯アダプターの軸心方向に沿って浴槽に対して内側（図１の左側）を「前側」または「正面側」とし、浴槽に対して外側（図１の右側）を「後側」「裏面側」または「背面側」として説明する。
【００２８】
図１Ｂおよび図２に示すように槽外取付部材１は、前面側が開放され、かつ後面側が閉塞された円筒形状の外筒部１２と、その外筒部１２の内部に同軸心上に配置される円筒形状の内筒部１１と、外筒部１２の前端外周に設けられた平板リング状のフランジ部１５とを備え、外筒部１２の後端部には管状の第１，第２外管接続部１ａ，１ｂが設けられている。
【００２９】
内筒部１１の内部空間は、後述の内側流路Ａの一部として構成されるとともに、内筒部１１および外筒部１２間の環状空間は、後述の外側流路Ｂの一部として構成されている。      
【００３０】
そして上記第１外管接続部１ａが内側流路Ａに連通されるとともに、第２外管接続部１ｂが外側流路Ｂに連通されている。
【００３１】
なお外筒部１２の内周面には後述の雄ねじ部材２をねじ込んで固定するための雌ねじが刻設されている。
【００３２】
図１Ｂおよび図２に示すように雄ねじ部材２は、前後両端が開放された円筒体の前端外周に平板リング状のフランジ部２５が一体に形成された鍔付き円筒形状に形成されている。
【００３３】
雄ねじ部材２の外周側面には、上記槽外取付部材１における外筒部１２の雌ねじに対応して雄ねじが刻設されており、雄ねじ部材２を槽外取付部材１の外筒部１２内にねじ込んで固定できるようになっている。
【００３４】
そして、槽外取付部材１のフランジ部１５が、浴槽の外壁面における取付孔の周縁部に沿うように配置された状態で、雄ねじ部材２のフランジ部２５が、浴槽内壁面における取付孔の周縁部に圧接されるようにして、雄ねじ部材２が取付孔を通じて、槽外取付部材１の外筒部１２にねじ込まれて固定される。これにより両部材１，２のフランジ部１５，２５によって、浴槽側壁Ｗにおける取付孔周縁部が挟持されて、両部材１，２が浴槽側壁Ｗに貫通状態に組み付けられる。
【００３５】
図１Ａ〜図３に示すように、流路仕切部材３は、軸心方向（前後方向）に延びる細長い円筒形状の円筒部３１と、その円筒部３１の前端部に設けられた略円盤状の槽内突出部４とを有している。
【００３６】
円筒部３１は、後述するように槽外取付部材１の内筒部１１に接続されるものであり、円筒部３１の内部と、それに連通する槽外取付部材１における内筒部１１の内部とによって、内側流路Ａが形成される。さらに円筒部３１は、後述するように雄ねじ部材２の内部に配置されるものであり、円筒部３１および雄ねじ部材２間の環状空間と、それに連通する槽外取付部材１における内筒部１１および外筒部１２間の環状空間とによって、外側流路Ｂが形成される。
【００３７】
槽内突出部４の前壁における上部両側には、多数の小孔によってそれぞれ構成される第１および第２吸引口４１ａ，４１ｂが左右に並んで形成されるとともに、外周壁における下部両側には、第１および第２吐出口４２ａ，４２ｂが形成されている。なお本実施形態においては、第１および第２吸引口４１ａ，４１ｂが第１および第２通水口に相当するものである。
【００３８】
槽内突出部４の内部には、互いに独立する２つの第１および第２流路（図示省略）が形成されており、第１流路に第１吸引口４１ａおよび第１吐出口４２ａが連通接続されるとともに、第２流路に第２吸引口４１ｂおよび第２吐出口４２ｂが連通接続されている。
【００３９】
図２に示すようにこの流路仕切部材３における円筒部３１が雄ねじ部材２に前方から挿入されて槽外取付部材１の内筒部１１に連通接続され、その状態で、流路仕切部材３における槽内突出部４の裏面側外周が雄ねじ部材２のフランジ部２５に周知のロック手段によって着脱自在に取り付けられる。
【００４０】
こうして流路仕切部材３を雄ねじ部材２および槽外取付部材１に組み付けた状態では、
内側流路Ａが流路仕切部材３の上記第１流路を介して第１吸引口４１ａおよび第１吐出口４２ａに連通接続されるとともに、外側流路Ｂが流路仕切部材３の上記第２流路を介して第２吸引口４１ｂおよび第２吐出口４２ｂに連通接続されている。
【００４１】
また流路仕切部材３には、浴槽内の湯水が第１および第２吸引口４１ａ，４１ｂから第１および第２流路内に吸引される方向の流れを許容し、かつ第１および第２流路内の湯水第１および第２吸引口４１ａ，４１ｂから浴槽内に吐出される方向の流れを制限する逆止弁が設けられるとともに、第１および第２流路内の湯水が第１および第２吐出口４２ａ，４２ｂから浴槽内に吐出される方向の流れを許容し、かつ浴槽内の湯水が第１および第２吐出口４２ａ，４２ｂから第１および第２流路内に吸引される方向の流れを制限する逆止弁が設けられている。
【００４２】
本実施形態のアダプター本体において、追い焚き時に浴槽側から室外給湯機に湯水を戻す戻り管が、例えば槽外取付部材１の第１外管接続部１ａに連結されるとともに、室外給湯機から浴槽側に湯水を供給する往き管が、第２外管接続部１ｂに連結された状態では、室外給湯機の吸引作用によって、戻り管、第１外管接続部１ａ、内側流路Ａおよび第１流路が負圧となって、第１吸引口４１ａから浴槽内の湯水が吸引されて、第１流路、内側流路Ａ、第１外管接続部１ａおよび戻り管を通って給湯機に戻される。この場合、上記逆止弁の作用によって第１吐出口４２ａから浴槽内の湯水が吸引されるのが防止される。また給湯機によって加熱された高温の湯水は往き管、第２外管接続部１ｂ、外側流路Ｂおよび第２流路を通って第２吐出口４２ｂから浴槽内に吐出される。この場合、上記逆止弁の作用によって第２吸引口４１ｂから浴槽内に湯水が吐出されるのが防止される。
【００４３】
このような配管接続状態では、第１吸引口４１ａが一方の吸引口、第１流路が一方の流路となり、第２吐出口４２ｂが他方の吐出口、第２流路が他方の流路となる。
【００４４】
こうして浴槽と給湯機との間で湯水が循環されて、浴槽内の湯水の温度が所定の温度まで加熱される。
【００４５】
一方、往き管が槽外取付部材１の第１外管接続部１ａに連結されるとともに、戻り管が第２外管接続部１ｂに接続された状態では、追い炊き時に第２吸引口４１ｂから浴槽内の湯水が吸引されて、第２流路、外側流路Ｂ、第２外管接続部１ｂおよび戻り管を通って給湯機に戻される。この場合、上記逆止弁の作用によって第２吐出口４２ｂから浴槽内の湯水が吸引されるのが防止される。また給湯機によって加熱された高温の湯水は往き管、第１外管接続部１ａ、内側流路Ａおよび第１流路を取って第１吐出口４２ａから浴槽内に吐出される。この場合、上記逆止弁の作用によって、第１吸引口４１ａから浴槽内に湯水が吐出されるのが防止される。
【００４６】
このような配管接続状態においては、第２吸引口４１ｂが一方の吸引口、第２流路が一方の流路となり、第１吐出口４２ａが他方の吐出口、第１流路が他方の流路となる。
【００４７】
このようにアダプター本体の第１および第２外管接続部１ａ，１ｂに対して、給湯機につながる往き管および戻り管のどちらを接続しても、追い焚き時においては、槽内突出部４の第１および第２の吸引口４１ａ，４１ｂのうち一方の吸引口から吸引されて、第１および第２の吐出口４２ａ，４２ｂのうち他方の吐出口から吐出されるようになっている。
【００４８】
図２、図４および図５に示すようにアダプター本体の流路仕切部材３における槽内突出部４を覆うように取り付けられるフィルター部材５は、フィルター本体６と、フィルター本体６の内部に嵌め込まれる補助枠７とを備えている。
【００４９】
フィルター本体６は、ステンレス等の金属製薄板のプレス成形品によって構成されている。フィルター本体６は、アダプター本体の槽内突出部４の外周に対応する周側壁と、前面側に対応する前壁とを備え、前壁のほぼ全域には多数の小孔からなる吸引用開口６１が形成されるとともに、周側壁には槽内突出部４の第１および第２吐出口４２ａ，４２ｂに対応して、吐出用開口６２が形成されている。
【００５０】
図４〜図６に示すように補助枠７は、硬質合成樹脂の成形品によって構成されている。この補助枠７は、フィルター本体６の周側壁の内側に対応する周側壁を備え、その周側壁の前後両端は開口されるとともに、前面側の開口の周縁部７０が内側に突出するように一体に形成されている。さらに補助枠７の周側壁には、フィルター本体６の吐出用開口６２に対応して、吐出用開口７２が形成されている。
【００５１】
また補助枠７の前面開口周縁部７０における内周端縁の上端には、下方に延びる仕切棒８が一体に形成されている。この仕切棒８は片持ち構造であって、上端が前面開口周縁部７０に固定された固定端となっており、かつ下端が固定されない自由端となっている。この仕切棒８の下端位置は、補助枠７（フィルター部材５）の中心位置よりもやや下側に配置されており、仕切棒８は補助枠７の下側部には存在していない。つまり補助枠７の前面開口のうち上側部は仕切棒８によって左右に仕切られているが、下側部は仕切られていない。
【００５２】
図５および図７に示すように補助枠７は単独状態では、つまりフィルター本体６に組み付けていない状態（自然状態）では、仕切棒８はその下端（自由端）側が上端（固定端）側に対し前方に配置されるように傾斜した姿勢（前方に屈曲した姿勢）に配置されている。さらに仕切棒８は弾性力を備えており、弾性変形によって上端を支点にして前後に屈曲変形できるように構成されている。
【００５３】
図８および図９に示すように仕切棒８の上側部８３を除く線状部８１の前面側は左右方向の寸法（幅）が広くて幅広に形成されるとともに、後面側（背面側）が前面側の幅広部に比べて幅が狭くて幅狭となるように断面凸状に形成されている。さらに仕切棒８の下端部には、下端面と背面との間のコーナー部を切り欠くようにして、換言すると当該コーナー部を消失させるようにして面取り部（切欠部）８２が形成されている。
【００５４】
また図４および図６に示すように仕切棒８の上側部８３は、根元側（上方）に向かうに従って次第に幅が広くなるように形成されている。さらに図６（ａ）に示すように正面視の状態では仕切棒８の上側部８３における両測縁と前端開口周縁部７０の内周縁との間のコーナー部は円弧状に形成されている。
【００５５】
この構成の補助枠７がフィルター本体６内にその裏面側から嵌め込まれて固定されてフィルター部材５が組み付けられている。この組付状態においては、補助枠７の吐出用開口７２がフィルター本体６の吐出用開口６２に対応して配置される。さらに補助枠７の仕切棒８は自然状態では前方に屈曲しているが（図７参照）、図１Ｂに示すようにフィルター本体６に組み付けた際に、仕切棒８はフィルター本体６の前壁裏面によって後方に押し込まれることにより弾性変形し、その反発力（弾性力）によってフィルター本体６の前壁裏面に押し付けられて圧接している。従ってこの状態では仕切棒８は補助枠７の前面開口面に沿って配置され、仕切棒８の前面全域がフィルター本体６の前壁裏面に隙間なく密着している。
【００５６】
このフィルター部材５が上記アダプター本体の槽内突出部４に外嵌された状態で着脱自在に取り付けられる。
【００５７】
この取付状態においては、フィルター部材５の仕切棒８は、槽内突出部４の第１および第２吸引口４１ａ，４１ｂ間に配置されている。さらに仕切棒８は、槽内突出部４の前面にほぼ密着しており、フィルター部材５と槽内突出部４との間の隙間（空間部）はその上側部は仕切棒８によって左右に仕切られるとともに、下側部は仕切られずに左右間で連通している。
【００５８】
さらにこの取付状態においてはフィルター部材５におけるフィルター本体６および補助枠６の各第１および各第２開口６２、７２は、アダプター本体における槽内突出部４の第１および第２吐出口４２ａ，４２ｂにそれぞれ対応して配置される。
【００５９】
以上のように構成された本実施形態の給湯アダプターにおいて、追い焚き時には例えば第１吸引口４１ａが負圧となり、浴槽内の湯水がフィルター部材５の前面の吸引用開口６１を通過してフィルター部材５の内部に流入して第１吸引口４１ａから吸引されて、既述したように第１流路および内側流路Ａを通って給湯機に戻される。また給湯機から吐出される湯水は往き管、外側流路Ｂおよび第２流路を通って第２吐出口４２ｂから吐出され、さらにその湯水がフィルター部材５の吐出用開口６２，７２を通って浴槽内に吐出される。
【００６０】
また第２流路側が吸引経路側（戻り側）となった場合には、浴槽内の湯水がフィルター部材５の吸引用開口６１を通って第２吸引口４１ｂから吸引される一方、給湯機からの湯水が第１吐出口４２ａから吐出されてフィルター部材５の吐出用開口６２，７２を通って浴槽内に吐出される。
【００６１】
以上の構成の本実施形態の給湯アダプターによれば、槽内突出部４を外嵌するフィルター部材５の内部に、槽内突出部４の第１および第２吸引口４１ａ，４１ｂ間を仕切るように仕切棒８が形成されているため、追い焚き時において例えば第１吸引口４１ａから湯水が吸引されている際に、逆止弁の劣化や逆止弁への異物のかみ込みによって第２吸引口４１ｂから浴槽側に湯水が漏れ出したとしても、その漏出湯水は仕切棒８によって第１吸引口４１ａ側に流れ込むのが阻止される。従って第２吸引口４１ｂから流出される高温の湯水が第１吸引口４１ａに直ちに吸い込まれるというショートサーキットが発生するのを防止することができる。その結果、ショートサーキットによって戻り経路内に多数の気泡が発生するのを防止でき、湯温の調整を正確に行えるとともに、循環する湯水の量も十分に確保できて追い焚きを効率良く行うことができる。
【００６２】
しかも本実施形態の給湯アダプターにおいては、フィルター部材５に片持ち構造の仕切棒８を形成するだけの簡単な構造で上記したように記ショートサーキットを防止することができ、構造の複雑化によるコストの増大等を確実に防止することができる。
【００６３】
さらに本実施形態においては、フィルター部材５の補助枠７に仕切棒８を自然状態では前方に屈曲するように形成しておき、補助枠７をフィルター本体６に嵌め込んで組み付けた際に、仕切棒８を後方に弾性変形させることにより、仕切棒８を弾性反発力によってフィルター本体６の前壁裏面に圧接するようにしている。このため、仕切棒８の全域をフィルター本体６の前壁に隙間なく密着することができるため、仕切棒８によって第１および第２吸引口４１ａ，４１ｂ間をより確実に仕切ることができ、ショートサーキットが発生するのをより確実に防止することができる。
【００６４】
また本実施形態の給湯アダプターにおいては、追い焚き時に第２吸引口４１ｂから漏れ出す高温水やそれに含まれる気泡は上昇しようとするが、本実施形態においては仕切棒８の上側部８３が上方に向かうに従って次第に幅が広くなるように形成されているため、第２吸引口４１ｂから漏れ出して上昇する高温水や気泡は、仕切棒８の上側部８３における側縁部に沿って移動する。このため高温水や気泡は上昇しつつも第１吸引口４１ａから遠ざかる方向（図６（ａ）の正面図において右方向）に移動するため、ショートサーキットが発生するのをより一層確実に防止することができる。
【００６５】
なお言うまでもなく、本発明の給湯アダプターにおいて、第１吐出口４２ａ側が吐出経路、第２吸引口４１ｂ側が吸引経路となる場合であっても、上記と同様にショートサーキットの発生を防止することができる。
【００６６】
また本実施形態において、フィルター部材５の仕切棒８は片持ち構造であるため、仕切棒８の付け根部に応力が集中し易いものであるが、仕切棒８の付け根部（上側部８３）を幅広に形成しているため、その付け根部に十分な強度を確保でき、仕切棒８が破損してしまう等の不具合を確実に防止することができる。
【００６７】
また本実施形態においては、フィルター部材５の仕切棒８の下端面と後面（裏面）とのコーナー部を切り欠くように（コーナー部を消失させるように）面取り部８２を形成しているため（図９参照）、フィルター部材５をアダプター本体から取り外して清掃等を行っている際に、指や清掃具が仕切棒８の下端コーナー部に引っ掛かるような不具合を防止することができる。このためその引っ掛かりによって、仕切棒８が不用意に折れ曲がって破損してしまうような不具合を確実に防止することができる。
【００６８】
その上さらに仕切棒８の線状部８１をその前面側に対し後面側が幅広となるように断面凸状に形成しているため（図８および図９参照）、使用者が興味本位等で仕切棒８の線状部８１を摘まもうとしても、簡単に摘まむことができず、この点においても仕切棒８が不用意に折れ曲がって破損してしまうような不具合をより一層確実に防止することができる。
【００６９】
また上記実施形態においては、フィルター部材５における下側部に仕切棒８が存在せず、フィルター部材５の内部が下側部において左右両側が連通しているため、第１および第２吸引口４１ａ、４１ｂのいずれの吸引口が吸引経路となる場合であっても、当該吸引口による吸引力がフィルター部材５の内部全域に作用する。従って追い焚き時にはフィルター部材５の前面全域から湯水を確実に吸引することができ、効率良く湯水を吸引することができる。
【００７０】
なお上記実施形態においては、弁付き無極性タイプの給湯アダプターに本発明を適用する場合を例に挙げて説明したが、それだけに限られず、本発明においては、弁無し無極性タイプの給湯アダプターや有極性タイプの給湯アダプターにも適用することができる。すなわち本発明は、槽内突出部の前面に２つの通水口が設けられ、そのいずれか一方の通水口から浴槽内の湯水が吸引されるとともに、他方の通水口から浴槽内に湯水が吐出あるいは漏出されるような給湯アダプターであればどのような給湯アダプターにも適用することができる。
【産業上の利用可能性】
【００７１】
この発明の浴槽用給湯アダプターは、例えば一般家庭の浴槽に給湯用金具として利用することができる。
【符号の説明】
【００７２】
４：槽内突出部
４１ａ，４１ｂ：第１および第２吸引口
４２ａ，４２ｂ：第１および第２吐出口
５：フィルター部材
６：フィルター本体
７：補助枠
８：仕切棒
８２：面取り部
８３：上側部
【図１Ａ】
0006632844.tif 000002
【図１Ｂ】
0006632844.tif 000003
【図２】
0006632844.tif 000004
【図３】
0006632844.tif 000005
【図４】
0006632844.tif 000006
【図５】
0006632844.tif 000007
【図６】
0006632844.tif 000008
【図７】
0006632844.tif 000009
【図８】
0006632844.tif 000010
【図９】
0006632844.tif 000011